(57)【要約】      （修正有）【課題】吸湿効果を最大化させる縦型除湿バッグを提供する。【解決手段】縦型除湿バッグであって、バッグ本体１、およびバッグ本体内に配置された吸湿性媒体を備え、バッグ本体は少なくとも４つ以上の独立した直立面２で構成され、複数の直立面の表面には通気ゾーン３が設けられ、空気中の水分は、通気ゾーンを通ってバッグ本体内の吸湿性媒体に入り、通気ゾーン以外はシールゾーンであり、バッグ本体の底部には折り畳み部４が設けられ、直立面の底部エッジと折り畳み部のエッジはヒートシールされる。【選択図】図１
0003225970.tif 000002
【実用新案登録請求の範囲】
【請求項１】
新規の縦型除湿バッグであって、
バッグ本体、および前記バッグ本体内に配置された吸湿性媒体を備え、前記バッグ本体は少なくとも４つ以上の独立した直立面で構成され、複数の前記直立面の表面には通気ゾーンが設けられ、空気中の水分は、前記通気ゾーンを通って前記バッグ本体内の吸湿性媒体に入り、前記通気ゾーン以外はシールゾーンであり、前記バッグ本体の底部には折り畳み部が設けられ、前記直立面の底部エッジと前記折り畳み部のエッジはヒートシールされる、ことを特徴とする、
新規の縦型除湿バッグ。
【請求項２】
対向して設けられた前記直立面の表面に通気ゾーンが設けられる、ことを特徴とする、
請求項１に記載の新規の縦型除湿バッグ。
【請求項３】
隣接する前記直立面の表面間に通気ゾーンが設けられる、ことを特徴とする、
請求項１に記載の新規の縦型除湿バッグ。
【請求項４】
前記直立面と直立面のエッジ間はヒートシールされる、ことを特徴とする、
請求項１に記載の全体被覆式除湿バッグ。
【請求項５】
前記通気ゾーンには通気性材料で被覆される、ことを特徴とする、
請求項１に記載の全体被覆式除湿バッグ。
【考案の詳細な説明】
【技術分野】
【０００１】
本実用新案は、除湿の技術分野に関し、特に新規の縦型除湿バッグに関する。
【背景技術】
【０００２】
湿気の多い地域では、湿気は、ワードローブ、引き出し、靴収納棚、本棚、収納ボックス、楽器、書道と絵画、およびその他の貴重品に侵入し、カビが生えやすくなる。
【０００３】
現在、除湿ボックスは一般に市場で販売され、使用者に多くの利便性をもたらし、多くの家庭用品の寿命を延ばし、市販の除湿ボックスは、主にシート、パウダー、または粒状の塩化カルシウムを使用して除湿し、特定の除湿効果を発揮できるが、次のような欠点もある、
１、除湿ボックスは硬質プラスチック構造であり、特定の使用スペースを占有し、
２、除湿ボックスは、その中に余分な水分を保存し、不適切に配置されるか、または外部からの衝撃を受けると、吸収された水分の流れ出しを引き起こしやすく、
３、除湿ボックス内の水を定期的に排出する必要があり、
４、除湿バッグの配置方式は単一であり、その使用は制限され、
５、現在、一般的に販売されているのは除湿ボックスであるが、このタイプの除湿ボックスも使い捨て製品であり、使用後に廃棄され、プラスチック廃棄物となり、環境に悪影響を与え、環境に優しくなく、
６、壊れやすくて検出されにくく、傾き倒れやすい。
【考案の概要】
【考案が解決しようとする課題】
【０００４】
既存の市場における技術の欠如を考慮して、本実用新案の目的は、新規の縦型除湿バッグを提供することであり、前記除湿バッグには複数の直立面があり、いつでも直立状態を維持でき、かつ、直立面の通気ゾーンの数を増やすことにより吸湿効果をさらに高めることができ、さらに、バッグ本体には、異なるパターンを印刷したり、異なる形状を製造したりできるシールゾーンも設けられ、これにより、既存の除湿バッグの形状が単調であるという問題が解決され、本実用新案に対する消費者の使いやすさを向上させる。
【課題を解決するための手段】
【０００５】
上記目的を達成するために、本実用新案は以下の技術的解決手段を採用する、新規の縦型除湿バッグであって、バッグ本体、および前記バッグ本体内に配置された吸湿性媒体を備え、前記バッグ本体は少なくとも４つ以上の独立した直立面で構成され、複数の前記直立面の表面には通気ゾーンが設けられ、空気中の水分は、前記通気ゾーンを通って前記バッグ本体内の吸湿性媒体に入り、前記通気ゾーン以外はシールゾーンであり、前記バッグ本体の底部には折り畳み部が設けられる。
【０００６】
好ましい技術的解決手段として、対向して設けられた前記直立面の表面に通気ゾーンが設けられる。
【０００７】
別の好ましい技術的解決手段として、隣接する前記直立面の表面間に通気ゾーンが設けられる。
前記直立面と直立面のエッジ間はヒートシールされることに注意されたい。
前記通気ゾーンには通気性材料で被覆されることに注意されたい。
前記直立面の底部エッジと前記折り畳み部のエッジはヒートシールされることに注意されたい。
【０００８】
好ましい技術的解決手段として、吸湿効果をさらに向上させるために、すべての直立面に通気ゾーンを設けることが考えられる。
【０００９】
本実用新案の別の実施形態として、前記直立面は一体式構造であってもよく、ヒートシールするとき、前記一体式構造の両端をヒートシールされてもよい。
【００１０】
本実用新案の別の実施形態として、通気ゾーンの表面には保護層がさらに設けられる。
好ましい技術的解決手段として、前記保護層は、前記通気性材料の表面にヒートシールされ、前記保護層の周縁は、前記通気性材料の周縁のシールゾーンに接着されるため、剥がすときに通気性材料に対する損傷が軽減される。前記通気性材料は、通気性フィルムなど、従来技術で該機能を達成する材料であってもよいことをさらに説明する必要がある。さらに、前記通気ゾーンのエリアサイズおよび通気エリアの数は、実際の必要性に応じて設定することができ、例えば、通気ゾーンのエリアは、シールゾーンの一部または全部とすることができ、少なくとも１つの通気ゾーンを設けることができ、また、マトリックス状に、または規則または不規則に２つ以上を設けることができる。
【００１１】
さらに、保護層は、通気ゾーンのエリアに応じて、接着またはヒートシールによって設けることができ、例えば、シールゾーンの一部が通気ゾーンである場合、接着によって設けることができ、通気ゾーンが片側のシールゾーンの全体である場合、すなわち、通気ゾーンのエッジが片側のシールゾーンのエッジと重なるか、または通気ゾーンの両側が片側のシールゾーンの一部のエッジと重なる場合、ヒートシールによって設けることができる。
さらに別の好ましい技術的解決手段として、前記バッグ本体のシールゾーンの表面に窓を設けることができ、さらに、前記窓に透明のカードが設けられ、前記窓の片側に水位目盛線が設けられる。
【考案の効果】
【００１２】
本実用新案の有益な技術的効果は、以下のとおりである；構造がシンプルで使いやすく、スペースの使用を削減するだけでなく、適用範囲を最大化し、次に、本実用新案には複数の直立面が設けられ、かつ、必要に応じて異なる直立面に吸湿のための通気ゾーンを設けることができるため、吸湿効果が効果的に改善され、そして、本実用新案は、環境への影響を最小限に抑え、環境に優しく、最後に、シールゾーンにパターンを印刷したり、形状を設定したりでき、最終消費者の使いやすさを大幅に向上させるだけでなく、製品は単調ではなくなり、バッグ本体は様々な消費者のニーズを満たすために任意の形状にすることができる。
【図面の簡単な説明】
【００１３】
【図１】図１は本実用新案の構造概略図である。
【図２】図２は図１の底部構造の概略図である。
【図３】図３は本実用新案の通気ゾーンの完全に被覆された直立面の構造概略図である。
【考案を実施するための形態】
【００１４】
以下は、図面を参照して本実用新案をさらに説明し、以下の実施例は、本技術的解決手段の前提に基づいて、詳細な実装方法および特定の動作手順を提供するが、本実用新案の保護範囲は本実施例に限定されないことに留意されたい。
【００１５】
図１、図２に示すとおり、本実用新案は、新規の縦型除湿バッグであり、バッグ本体１、および前記バッグ本体１内に配置された吸湿性媒体を備え、前記バッグ本体１は少なくとも４つ以上の独立した直立面２で構成され、複数の前記直立面２の表面には通気ゾーン３が設けられ、空気中の水分は、前記通気ゾーン３を通って前記バッグ本体１内の吸湿性媒体に入り、前記通気ゾーン以外３はシールゾーンであり、前記バッグ本体１の底部には折り畳み部４が設けられる。また、図１に示すとおり、対向して設けられた前記直立面２の表面に通気ゾーン３が設けられる。さらに、隣接する前記直立面の表面間に通気ゾーンが設けられる。また、図１に示すとおり、前記直立面１と直立面１のエッジ間はヒートシールされることに注意されたい。図１に示すとおり、前記通気ゾーン３には通気性材料３１で被覆されることに注意されたい。さらに、前記直立面の底部エッジと前記折り畳み部のエッジはヒートシールされることに注意されたい。
【００１６】
好ましい技術的解決手段として、吸湿効果をさらに向上させるために、すべての直立面に通気ゾーンを設けることが考えられる。
【００１７】
本実用新案の別の実施形態として、前記直立面は一体式構造であってもよく、ヒートシールするとき、前記一体式構造の両端をヒートシールされてもよい。
本実用新案の別の実施形態として、通気ゾーンの表面には保護層がさらに設けられる。
本実用新案の別の実施形態として、前記直立面は一体式構造であってもよく、ヒートシールするとき、前記一体式構造の両端をヒートシールされてもよい。
好ましい技術的解決手段として、前記保護層は、前記通気性材料の表面にヒートシールされ、前記保護層の周縁は、前記通気性材料の周縁のシールゾーンに接着されるため、剥がすときに通気性材料に対する損傷が軽減される。
さらに、前記折り畳み部と複数の前記直立面は分離式構造であり、かつ、異なる直立面のシールゾーンの底部エッジとヒートシールされる。
そして、前記バッグ本体の形状には、既存の幾何学的図形が含まれるが、これに限定されない。例えば、円形、楕円形、円筒形などであってもよく、また、特殊な形状にすることもできる。
【００１８】
前記通気性材料は、通気性フィルムなど、従来技術で該機能を達成する材料であってもよいことをさらに説明する必要がある。
さらに、前記通気ゾーンのエリアサイズおよび通気エリアの数は、実際の必要性に応じて設定することができ、そして、前記通気ゾーンの形状には、既存の幾何学的図形が含まれるが、これに限定されず、また、特殊な形状にすることもできる。
そして、前記直立面のシールゾーンは、透明または不透明の防水材料で作製することができる。透明の材料で作製される場合、吸湿性媒体の吸湿程度をより直感的に観察することができ、不透明の材料で作製される場合、その上にテキストおよび／またはパターンを印刷することができる。
【００１９】
通気性材料に対する保護層の影響を低減させるために、前記保護層はヒートシールまたは接着によって設けることができ、具体的には、ヒートシールされる場合、前記保護層は前記通気性材料の表面にヒートシールされ、接着される場合、前記保護層の周縁が前記通気性材料の周縁のシールゾーンに接着されるため、剥がすときに通気性材料に対する損傷が軽減される。
【００２０】
さらに、保護層は、通気ゾーンのエリアサイズに応じて接着またはヒートシールによって設けることができ、例えば、シールゾーンの一部が通気ゾーンである場合、接着によって設けることができ、図３に示すとおり、通気ゾーン３がシールゾーンの全体である場合、すなわち、通気ゾーン３のエッジがシールゾーンのエッジと重なるか、または通気ゾーン３の両側がシールゾーンの一部のエッジと重なる場合、ヒートシールによって設けることができる。
【００２１】
さらに別の好ましい技術的解決手段として、１つ以上の直立面上のシールゾーン部分が透明の材料で作製される場合、透明材料の片側に水位目盛線を設けることができる。このようにして、水分吸収媒体が塩化カルシウムである場合、透明材料を通してバッグ内の水位を観察して、水分吸収量を決定することができる。
【００２２】
本実用新案における通気性材料は、通気性フィルムなど、従来技術で該機能を達成する材料であってもよいことをさらに説明する必要がある。
同様に、本実用新案で説明した除湿機能に加えて、防虫機能を有する媒体または芳香機能を有する媒体をバッグ本体に直接追加して、本実用新案の様々な用途をさらに実現することができる。
上記吸湿性媒体に耐虫性媒体を添加する場合、本実用新案の構造は実際の状況に応じて適宜変更することができる。
【実施例】
【００２３】
使用中、本実用新案を吸湿が必要な位置で直立または平らに配置することができ、そしてバッグ本体に設けられた通気ゾーンにより水分を吸収し、具体的には、直立面の少なくとも片側に通気性材料が設けられ、吸湿性媒体は通気性材料を介してバッグ本体の外側の空気における水分を吸収すし、吸湿性媒体が湿気にさらされると色を変えることができる材料を使用する場合、このように、本実用新案の吸湿程度は色の深さから取得することができ、これにより交換が必要かどうかを決定することができ、さらに、吸湿性媒体が塩化カルシウムである場合、バッグ本体の窓を通してバッグ内の水位の変化を観察して、水位線によって水位を決定することができる。
【００２４】
そして、本実用新案における通気性材料の表面に保護層がさらに設けられ、保護層は、通気性材料の表面にヒートシールされるか、または通気性材料の周縁のシールゾーンに接着され、該保護層を剥がすと使用することができる。
【００２５】
また、本実用新案のシールゾーンは、透明または不透明の防水材料で作製できるが、透明または不透明の材料で作製されても、その表面にパターンを印刷したり、形状を設計したりでき、製品の使いやすさを向上させる。
【００２６】
さらに、本実用新案のバッグ本体には、異なる媒体を配置して異なる用途を達成することができ、例えば、防虫媒体を配置すると防虫効果が得られ、揮発性の芳香媒体を配置すると環境中の香りを高めることができる。
【００２７】
そして、本実用新案のバッグ本体は、異なる形状にすることができ、既存の一般的な幾何学的な立体図形を含むが、これに限定されない。
【００２８】
最後に、本実用新案のすべての直立面に通気ゾーンを設けることができ、通気ゾーンのサイズは直立面のエリアの一部を占めることができ、または直立面全体を覆うことができる。
【００２９】
当業者にとって、上記の技術的解決手段および概念に従って、様々な対応する変更および変形を与えることができ、これらすべての変更および変形は、実用新案の請求項の保護範囲に含まれるべきである。
【図１】
0003225970.tif 000003
【図２】
0003225970.tif 000004
【図３】
0003225970.tif 000005
【手続補正書】
【提出日】令和2年2月13日(2020.2.13)
【手続補正１】
【補正対象書類名】実用新案登録請求の範囲
【補正対象項目名】全文
【補正方法】変更
【補正の内容】
【実用新案登録請求の範囲】
【請求項１】
新規の縦型除湿バッグであって、
バッグ本体、および前記バッグ本体内に配置された吸湿性媒体を備え、前記バッグ本体は少なくとも４つ以上の独立した直立面で構成され、複数の前記直立面の表面には通気ゾーンが設けられ、空気中の水分は、前記通気ゾーンを通って前記バッグ本体内の吸湿性媒体に入り、前記通気ゾーン以外はシールゾーンであり、前記バッグ本体の底部には折り畳み部が設けられ、前記直立面の底部エッジと前記折り畳み部のエッジはヒートシールされる、ことを特徴とする、
新規の縦型除湿バッグ。
【請求項２】
対向して設けられた前記直立面の表面に通気ゾーンが設けられる、ことを特徴とする、
請求項１に記載の新規の縦型除湿バッグ。
【請求項３】
隣接する前記直立面の表面間に通気ゾーンが設けられる、ことを特徴とする、
請求項１に記載の新規の縦型除湿バッグ。
【請求項４】
前記直立面と直立面のエッジ間はヒートシールされる、ことを特徴とする、
請求項１に記載の新規の縦型除湿バッグ。
【請求項５】
前記通気ゾーンには通気性材料で被覆される、ことを特徴とする、
請求項１に記載の新規の縦型除湿バッグ。